【手続補正書】
【提出日】令和2年1月15日(2020.1.15)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
基地局（ＢＳ）との狭帯域通信のためのアンカリソースブロック（ＲＢ）において受信された１つまたは複数の信号に基づいてセルサーチを行うことと、
前記ＢＳとの前記狭帯域通信のための少なくとも１つの追加のＲＢのロケーションを、前記少なくとも１つの追加のＲＢの絶対周波数ロケーションの第１のインジケーションと、前記少なくとも１つの追加のＲＢの前記ロケーションが、インバンドロケーションであるか、ガードバンドロケーションであるか、またはスタンドアロンロケーションであるかの第２のインジケーションとに基づいて決定することと、前記第１のインジケーションおよび第２のインジケーションは、前記アンカＲＢにおいて、無線リソース制御（ＲＲＣ）シグナリングを介して受信され、
前記アンカＲＢまたは前記少なくとも１つの追加のＲＢのうちの少なくとも１つを使用して、前記ＢＳとの狭帯域通信を行うことと
を備える、方法。
【請求項２】
前記１つまたは複数の信号は、プライマリ同期信号（ＰＳＳ）、セカンダリ同期信号（ＳＳＳ）、または物理ブロードキャストチャネル（ＰＢＣＨ）のうちの少なくとも１つを備える、請求項１に記載の方法。
【請求項３】
前記ＵＥは、狭帯域通信のための可能性のあるＲＢの制限されたセットを用いて構成され、
前記第１のインジケーションは、可能性のあるＲＢの前記制限されたセットのうちの少なくとも１つのインジケーションを備える、
請求項１に記載の方法。
【請求項４】
前記第１のインジケーションは、前記第２のインジケーションに基づいて解釈される、請求項１に記載の方法。
【請求項５】
前記アンカＲＢにおいてシステム情報ブロック（ＳＩＢ）ブロードキャストメッセージの１つまたは複数のタイプを受信することと、
前記アンカＲＢまたは前記少なくとも１つの追加のＲＢのうちの少なくとも１つにおいて、ＳＩＢメッセージの別のタイプ、ランダムアクセス応答（ＲＡＲ）メッセージ、またはページングメッセージのうちの少なくとも１つを受信することと
をさらに備える、請求項１に記載の方法。
【請求項６】
前記狭帯域通信を行うことは、前記アンカＲＢのみを使用して前記ＢＳと通信することを備える、請求項１に記載の方法。
【請求項７】
前記アンカＲＢまたは前記少なくとも１つの追加のＲＢのうちの少なくとも１つを使用して前記狭帯域通信を行うための前記ＵＥの能力を示すシグナリングを送信すること
をさらに備える、請求項１に記載の方法。
【請求項８】
ＰＳＳ、ＳＳＳ、またはＰＢＣＨのうちの前記少なくとも１つは、第１の周期性で前記アンカＲＢにおいて受信され、
前記方法は、前記第１の周期性よりも大きい第２の周期性で、前記少なくとも１つの追加のＲＢにおいて別のＰＳＳまたはＳＳＳのうちの少なくとも１つを受信することをさらに備える、
請求項２に記載の方法。
【請求項９】
前記少なくとも１つの追加のＲＢは、第１の追加のＲＢおよび第２の追加のＲＢを含み、前記狭帯域通信を行うことは、
前記第１の追加のＲＢにおいて第１の電力レベルで通信することと、前記第２の追加のＲＢにおいて前記第１の電力レベルとは異なる第２の電力レベルで通信することと
を備える、請求項１に記載の方法。
【請求項１０】
物理ランダムアクセスチャネル（ＰＲＡＣＨ）メッセージを送信するのに利用可能なＲＢのセットを識別することと、
前記ＵＥのカバレッジレベル、ＵＥ識別、またはシステム情報ブロック（ＳＩＢ）中のインジケーションのうちの少なくとも１つに基づいて、前記ＰＲＡＣＨメッセージを送信するためにＲＢの前記セットから１つまたは複数のＲＢを選択することと
をさらに備える、請求項１に記載の方法。
【請求項１１】
前記アンカＲＢは、第１の動作帯域幅内に位置し、
前記少なくとも１つの追加のＲＢは、第２の動作帯域幅内に位置する、
請求項１に記載の方法。
【請求項１２】
前記ＢＳからのページングメッセージに利用可能なＲＢのセットを識別することと、
ＵＥ識別に基づいてページングメッセージについてモニタするために、ＲＢの前記セットから１つまたは複数のＲＢを選択することと
をさらに備える、請求項１に記載の方法。
【請求項１３】
基地局（ＢＳ）によるワイヤレス通信のための方法であって、
ユーザ機器（ＵＥ）との狭帯域通信のためのアンカリソースブロック（ＲＢ）において１つまたは複数の信号を送ることと、
前記アンカＲＢにおいて、少なくとも１つの追加のＲＢの絶対周波数ロケーションの第１のインジケーションと、前記少なくとも１つの追加のＲＢの前記ロケーションが、インバンドロケーションであるか、ガードバンドロケーションであるか、またはスタンドアロンロケーションであるかの第２のインジケーションとを、無線リソース制御（ＲＲＣ）シグナリングを介して送ることと、
前記アンカＲＢまたは前記少なくとも１つの追加のＲＢのうちの少なくとも１つを使用して、前記ＵＥとの狭帯域通信を行うことと
を備える、方法。
【請求項１４】
ユーザ機器（ＵＥ）によるワイヤレス通信のための装置であって、
基地局（ＢＳ）との狭帯域通信のためのアンカリソースブロック（ＲＢ）において受信された１つまたは複数の信号に基づいてセルサーチを行うための手段と、
前記ＢＳとの前記狭帯域通信のための少なくとも１つの追加のＲＢのロケーションを、前記少なくとも１つの追加のＲＢの絶対周波数ロケーションの第１のインジケーションと、前記少なくとも１つの追加のＲＢの前記ロケーションが、インバンドロケーションであるか、ガードバンドロケーションであるか、またはスタンドアロンロケーションであるかの第２のインジケーションとに基づいて決定するための手段と、前記第１のインジケーションおよび第２のインジケーションは、前記アンカＲＢにおいて、無線リソース制御（ＲＲＣ）シグナリングを介して受信され、
前記アンカＲＢまたは前記少なくとも１つの追加のＲＢのうちの少なくとも１つを使用して、前記ＢＳとの狭帯域通信を行うための手段と
を備える、装置。
【請求項１５】
基地局（ＢＳ）によるワイヤレス通信のための装置であって、
ユーザ機器（ＵＥ）との狭帯域通信のためのアンカリソースブロック（ＲＢ）において１つまたは複数の信号を送るための手段と、
前記アンカＲＢにおいて、少なくとも１つの追加のＲＢの絶対周波数ロケーションの第１のインジケーションと、前記少なくとも１つの追加のＲＢの前記ロケーションが、インバンドロケーションであるか、ガードバンドロケーションであるか、またはスタンドアロンロケーションであるかの第２のインジケーションとを、無線リソース制御（ＲＲＣ）シグナリングを介して送るための手段と、
前記アンカＲＢまたは前記少なくとも１つの追加のＲＢのうちの少なくとも１つを使用して、前記ＵＥとの狭帯域通信を行うための手段と
を備える、装置。
【請求項１６】
ユーザ機器のまたは基地局のプロセッサによって実行されると、前記プロセッサに、それぞれ、請求項１ないし１２または１３に記載の方法を実行させる命令を備える、非一時的なコンピュータ可読媒体。
【手続補正２】
【補正対象書類名】明細書
【補正対象項目名】０１２８
【補正方法】変更
【補正の内容】
【０１２８】
[0140]  本開示の前述の説明は、いかなる当業者も本開示を作成または使用することができるように提供される。本開示への様々な修正は当業者には容易に明らかとなり、本明細書で定義された一般原理は、本開示の趣旨または範囲から逸脱することなく他のバリエーションに適用され得る。よって、本開示は、本明細書で説明される例および設計に限定されることを意図するものではなく、本明細書で開示される原理および新規の特徴に合致する最も広い範囲を与えられるべきである。
以下に本願の出願当初の特許請求の範囲に記載された発明を付記する。
［Ｃ１］  ユーザ機器（ＵＥ）によるワイヤレス通信のための方法であって、
基地局（ＢＳ）との狭帯域通信に利用可能なリソースブロック（ＲＢ）のセット内のアンカＲＢにおいて受信された１つまたは複数の信号に基づいてセルサーチを行うことと、  前記アンカＲＢにおいて受信されたインジケーションに基づいて、前記ＢＳとの前記狭帯域通信に利用可能な少なくとも１つの追加のＲＢのロケーションを決定することと、
前記アンカＲＢまたは前記少なくとも１つの追加のＲＢのうちの少なくとも１つを使用して、前記ＢＳとの狭帯域通信を行うことと
を備える、方法。
［Ｃ２］  前記１つまたは複数の信号は、プライマリ同期信号（ＰＳＳ）、セカンダリ同期信号（ＳＳＳ）、または物理ブロードキャストチャネル（ＰＢＣＨ）のうちの少なくとも１つを備える、Ｃ１に記載の方法。
［Ｃ３］  前記少なくとも１つの追加のＲＢの前記ロケーションは、インバンド周波数ロケーション、またはガードバンド周波数ロケーションを備える、Ｃ１に記載の方法。
［Ｃ４］  前記インジケーションは、前記アンカＲＢにおいて、マスタ情報ブロック（ＭＩＢ）、システム情報ブロック（ＳＩＢ）のうちの少なくとも１つで、または無線リソース制御（ＲＲＣ）シグナリングを介して受信される、Ｃ１に記載の方法。
［Ｃ５］  前記インジケーションは、前記少なくとも１つの追加のＲＢの前記ロケーションに対応する１つまたは複数の物理リソースブロック（ＰＲＢ）インデックスのインジケーションを備える、Ｃ１に記載の方法。
［Ｃ６］  前記インジケーションは、前記アンカＲＢの周波数ロケーションに対する前記少なくとも１つの追加のＲＢの周波数オフセットのインジケーションを備える、Ｃ４に記載の方法。
［Ｃ７］  前記ＵＥは、狭帯域通信に利用可能な、可能性のあるＲＢの制限されたセットを用いて構成され、
前記インジケーションは、可能性のあるＲＢの前記制限されたセットのうちの少なくとも１つのインジケーションを備える、
Ｃ１に記載の方法。
［Ｃ８］  前記少なくとも１つの追加のＲＢの前記ロケーションが、インバンドロケーションであるか、ガードバンドロケーションであるか、またはスタンドアロンロケーションであるかの第２のインジケーションを受信することをさらに備え、前記少なくとも１つの追加のＲＢの前記ロケーションの前記インジケーションは、前記第２のインジケーションに基づいて解釈される、
Ｃ１に記載の方法。
［Ｃ９］  前記少なくとも１つの追加のＲＢの前記ロケーションの前記インジケーションは、前記少なくとも１つの追加のＲＢの絶対周波数ロケーションを備える、
Ｃ１に記載の方法。
［Ｃ１０］  前記アンカＲＢにおいてシステム情報ブロック（ＳＩＢ）ブロードキャストメッセージの１つまたは複数のタイプを受信することと、
前記アンカＲＢまたは前記少なくとも１つの追加のＲＢのうちの少なくとも１つにおいて、ＳＩＢメッセージの別のタイプ、ランダムアクセス応答（ＲＡＲ）メッセージ、またはページングメッセージのうちの少なくとも１つを受信することと
をさらに備える、Ｃ１に記載の方法。
［Ｃ１１］  前記狭帯域通信を行うことは、前記アンカＲＢのみを使用して前記ＢＳと通信することを備える、Ｃ１に記載の方法。
［Ｃ１２］  前記狭帯域通信を行うことは、第１の追加のＲＢにおいてアップリンク狭帯域通信を行うことと、前記第１の追加のＲＢとは異なる第２の追加のＲＢにおいてダウンリンク狭帯域通信を行うこととを備える、Ｃ１に記載の方法。
［Ｃ１３］  前記アンカＲＢまたは前記少なくとも１つの追加のＲＢのうちの少なくとも１つを使用して前記狭帯域通信を行うための前記ＵＥの能力を示すシグナリングを送信すること
をさらに備える、Ｃ１に記載の方法。
［Ｃ１４］  ＰＳＳ、ＳＳＳ、またはＰＢＣＨのうちの前記少なくとも１つは、第１の周期性で前記アンカＲＢにおいて受信され、
前記方法は、前記第１の周期性よりも大きい第２の周期性で、前記少なくとも１つの追加のＲＢにおいて別のＰＳＳまたはＳＳＳのうちの少なくとも１つを受信することをさらに備える、
Ｃ２に記載の方法。
［Ｃ１５］  前記少なくとも１つの追加のＲＢにおいて受信された前記少なくとも１つの他のＰＳＳ、ＳＳＳ、またはＰＢＣＨは、前記アンカＲＢにおいて受信された前記少なくとも１つのＰＳＳ、ＳＳＳ、またはＰＢＣＨとは異なる、
Ｃ１４に記載の方法。
［Ｃ１６］  前記狭帯域通信を行うことは、
第１の追加のＲＢにおいて第１の電力レベルで通信することと、第２の追加のＲＢにおいて前記第１の電力レベルとは異なる第２の電力レベルで通信することと
を備える、Ｃ１に記載の方法。
［Ｃ１７］  前記狭帯域通信を行うことは、
前記アンカＲＢにおいてのみ、物理ランダムアクセスチャネル（ＰＲＡＣＨ）メッセージを送信し、ランダムアクセス応答（ＲＡＲ）メッセージを受信すること
を備える、Ｃ１に記載の方法。
［Ｃ１８］  前記狭帯域通信を行うことは、
前記少なくとも１つの追加のＲＢにおいて、物理ランダムアクセスチャネル（ＰＲＡＣＨ）メッセージを送信し、ランダムアクセス応答（ＲＡＲ）メッセージを受信すること  を備える、Ｃ１に記載の方法。
［Ｃ１９］  物理ランダムアクセスチャネル（ＰＲＡＣＨ）メッセージを送信するのに利用可能なＲＢのセットを識別することと、
前記ＵＥのカバレッジレベル、ＵＥ識別、またはシステム情報ブロック（ＳＩＢ）中のインジケーションのうちの少なくとも１つに基づいて、前記ＰＲＡＣＨメッセージを送信するためにＲＢの前記セットから１つまたは複数のＲＢを選択することと
をさらに備える、Ｃ１に記載の方法。
［Ｃ２０］  前記アンカＲＢにおいてシステム情報ブロック（ＳＩＢ）情報の第１の部分を受信することと、
前記少なくとも１つの追加のＲＢにおいて前記ＳＩＢ情報の第２の部分を受信することと
をさらに備える、Ｃ１に記載の方法。
［Ｃ２１］  前記アンカＲＢは、第１の動作帯域幅内に位置し、
前記少なくとも１つの追加のＲＢは、第２の動作帯域幅内に位置する、
Ｃ１に記載の方法。
［Ｃ２２］  前記少なくとも１つの追加のＲＢは、別のアンカＲＢを備える、Ｃ１に記載の方法。
［Ｃ２３］  前記ＵＥが、前記アンカＲＢのみを使用して通信をサポートするか、または前記アンカＲＢと前記少なくとも１つの追加のＲＢとを使用して通信をサポートするかのインジケーションを前記ＢＳにシグナリングすること
をさらに備える、Ｃ１に記載の方法。
［Ｃ２４］  前記アンカＲＢのみにおいてページングメッセージを受信することをさらに備える、Ｃ１に記載の方法。
［Ｃ２５］  前記ＢＳからのページングメッセージに利用可能なＲＢのセットを識別することをさらに備え、
ＵＥ識別に基づいてページングメッセージについてモニタするために、ＲＢの前記セットから１つまたは複数のＲＢを選択すること
をさらに備える、Ｃ１に記載の方法。
［Ｃ２６］  前記少なくとも１つの追加のＲＢがアンカＲＢではないとのインジケーションを受信することをさらに備える、Ｃ１に記載の方法。
［Ｃ２７］  前記少なくとも１つの追加のＲＢにおいて送信されるシステム情報ブロック（ＳＩＢ）中の変更のインジケーションを有するＳＩＢを前記アンカＲＢにおいて受信することをさらに備える、Ｃ１に記載の方法。
［Ｃ２８］  基地局（ＢＳ）によるワイヤレス通信のための方法であって、
ユーザ機器（ＵＥ）との狭帯域通信に利用可能なリソースブロック（ＲＢ）のセット内のアンカＲＢにおいて１つまたは複数の信号を送ることと、
前記アンカＲＢにおいて、前記ＵＥとの前記狭帯域通信に利用可能な少なくとも１つの追加のＲＢのロケーションのインジケーションをシグナリングすることと、
前記アンカＲＢまたは前記少なくとも１つの追加のＲＢのうちの少なくとも１つを使用して、前記ＵＥとの狭帯域通信を行うことと
を備える、方法。
［Ｃ２９］  前記１つまたは複数の信号は、プライマリ同期信号（ＰＳＳ）、セカンダリ同期信号（ＳＳＳ）、または物理ブロードキャストチャネル（ＰＢＣＨ）のうちの少なくとも１つを備える、Ｃ２８に記載の方法。
［Ｃ３０］  前記少なくとも１つの追加のＲＢの前記ロケーションは、インバンド周波数ロケーション、またはガードバンド周波数ロケーションを備える、Ｃ２８に記載の方法。
［Ｃ３１］  前記インジケーションは、マスタ情報ブロック（ＭＩＢ）、システム情報ブロック（ＳＩＢ）のうちの少なくとも１つにおいて、または無線リソース制御（ＲＲＣ）シグナリングを介して送られる、Ｃ２８に記載の方法。
［Ｃ３２］  前記インジケーションは、前記少なくとも１つの追加のＲＢの前記ロケーションに対応する１つまたは複数の物理リソースブロック（ＰＲＢ）インデックスのインジケーションを備える、Ｃ２８に記載の方法。
［Ｃ３３］  前記インジケーションは、前記アンカＲＢの周波数ロケーションに対する前記少なくとも１つの追加のＲＢの周波数オフセットのインジケーションを備える、Ｃ２８に記載の方法。
［Ｃ３４］  前記ＵＥは、狭帯域通信に利用可能な、可能性のあるＲＢの制限されたセットを用いて構成され、
前記インジケーションは、可能性のあるＲＢの前記制限されたセットのうちの少なくとも１つのインジケーションを備える、
Ｃ２８に記載の方法。
［Ｃ３５］  前記少なくとも１つの追加のＲＢの前記ロケーションが、インバンドロケーションであるか、ガードバンドロケーションであるか、またはスタンドアロンロケーションであるかのインジケーションを送ることをさらに備える、Ｃ２８に記載の方法。
［Ｃ３６］  前記少なくとも１つの追加のＲＢの前記ロケーションの前記インジケーションは、前記少なくとも１つの追加のＲＢの絶対周波数ロケーションを備える、
Ｃ２８に記載の方法。
［Ｃ３７］  前記アンカＲＢにおいてシステム情報ブロック（ＳＩＢ）ブロードキャストメッセージの１つまたは複数のタイプを送信することと、
前記アンカＲＢまたは前記少なくとも１つの追加のＲＢのうちの少なくとも１つにおいて、ＳＩＢメッセージの別のタイプ、ランダムアクセス応答（ＲＡＲ）メッセージ、またはページングメッセージのうちの少なくとも１つを送信することと
をさらに備える、Ｃ２８に記載の方法。
［Ｃ３８］  前記アンカＲＢまたは前記少なくとも１つの追加のＲＢのうちの少なくとも１つを使用して前記狭帯域通信を行うための前記ＵＥの能力を示すシグナリングを受信すること
をさらに備える、Ｃ２８に記載の方法。
［Ｃ３９］  前記狭帯域通信を行うことは、第１の追加のＲＢにおいてアップリンク狭帯域通信を行うことと、前記第１のＲＢとは異なる第２の追加のＲＢにおいてダウンリンク狭帯域通信を行うこととを備える、Ｃ２８に記載の方法。
［Ｃ４０］  ＰＳＳ、ＳＳＳ、またはＰＢＣＨのうちの前記少なくとも１つは、第１の周期性で前記アンカＲＢにおいて送信され、
前記方法は、前記第１の周期性よりも大きい第２の周期性で、前記少なくとも１つの追加のＲＢにおいて別のＰＳＳまたはＳＳＳのうちの少なくとも１つを送信することをさらに備える、
Ｃ２９に記載の方法。
［Ｃ４１］  前記少なくとも１つの追加のＲＢにおいて送信された前記少なくとも１つの他のＰＳＳ、ＳＳＳ、またはＰＢＣＨは、前記アンカＲＢにおいて送信された前記少なくとも１つのＰＳＳ、ＳＳＳ、またＰＢＣＨとは異なる、
Ｃ３１に記載の方法。
［Ｃ４２］  前記狭帯域通信を行うことは、第１の追加のＲＢにおいて第１の電力レベルで通信することと、第２の追加のＲＢにおいて前記第１の電力レベルとは異なる第２の電力レベルで通信することとを備える、Ｃ２８に記載の方法。
［Ｃ４３］  前記狭帯域通信を行うことは、前記アンカＲＢにおいてのみ、物理ランダムアクセスチャネル（ＰＲＡＣＨ）メッセージを受信し、ランダムアクセス応答（ＲＡＲ）メッセージを送信することを備える、Ｃ２８に記載の方法。
［Ｃ４４］  前記狭帯域通信を行うことは、前記少なくとも１つの追加のＲＢにおいて、物理ランダムアクセスチャネル（ＰＲＡＣＨ）メッセージを受信し、ランダムアクセス応答（ＲＡＲ）メッセージを送信することを備える、Ｃ２８に記載の方法。
［Ｃ４５］  前記アンカＲＢ上でシステム情報ブロック（ＳＩＢ）情報の第１の部分を送信することと、
前記少なくとも１つの追加のＲＢ上で前記ＳＩＢ情報の第２の部分を送信することと  をさらに備える、Ｃ２８に記載の方法。
［Ｃ４６］  前記アンカＲＢは、第１の動作帯域幅内に位置し、
前記少なくとも１つの追加のＲＢは、第２の動作帯域幅内に位置する、
Ｃ２８に記載の方法。
［Ｃ４７］  前記少なくとも１つの追加のＲＢは、別のアンカＲＢを備える、Ｃ２８に記載の方法。
［Ｃ４８］  前記ＵＥが、前記アンカＲＢのみにおいてページングメッセージをモニタするか、あるいは、前記アンカＲＢまたは前記少なくとも１つの追加のＲＢのうちの少なくとも１つにおいてページングメッセージをモニタするかを決定することと、
前記決定に基づいて前記ＵＥにページングメッセージを送信するために、１つまたは複数のＲＢを選択することと
をさらに備える、Ｃ２８に記載の方法。
［Ｃ４９］  前記選択することは、
前記ＵＥが前記アンカＲＢ上のページングメッセージのみをモニタする場合、前記ＵＥにページングメッセージを送信するために前記アンカＲＢを選択することと、
前記ＵＥが、前記アンカＲＢまたは前記少なくとも１つの追加のＲＢのうちの少なくとも１つ上のページングメッセージについてモニタする場合、ＵＥ識別に基づいて前記ＵＥにページングメッセージを送信するために、前記アンカＲＢまたは前記少なくとも１つの追加のＲＢのうちの少なくとも１つを選択することと
を備える、Ｃ４８に記載の方法。
［Ｃ５０］  前記少なくとも１つの追加のＲＢがアンカＲＢではないとのインジケーションを送信することをさらに備える、Ｃ２８に記載の方法。
［Ｃ５１］  前記少なくとも１つの追加のＲＢにおいて送信されるシステム情報ブロック（ＳＩＢ）中の変更のインジケーションを有するＳＩＢを前記アンカＲＢにおいて送信することをさらに備える、Ｃ２８に記載の方法。
［Ｃ５２］  ユーザ機器（ＵＥ）によるワイヤレス通信のための装置であって、
基地局（ＢＳ）との狭帯域通信に利用可能なリソースブロック（ＲＢ）のセット内のアンカＲＢにおいて受信された１つまたは複数の信号に基づいてセルサーチを行うための手段と、
前記アンカＲＢにおいて受信されたインジケーションに基づいて、前記ＢＳとの前記狭帯域通信に利用可能な少なくとも１つの追加のＲＢのロケーションを決定するための手段と、
前記アンカＲＢまたは前記少なくとも１つの追加のＲＢのうちの少なくとも１つを使用して、前記ＢＳとの狭帯域通信を行うための手段と
を備える、装置。
［Ｃ５３］  基地局（ＢＳ）によるワイヤレス通信のための装置であって、
ユーザ機器（ＵＥ）との狭帯域通信に利用可能なリソースブロック（ＲＢ）のセット内のアンカＲＢにおいて１つまたは複数の信号を送るための手段と、
前記アンカＲＢにおいて、前記ＵＥとの前記狭帯域通信に利用可能な少なくとも１つの追加のＲＢのロケーションのインジケーションをシグナリングするための手段と、
前記アンカＲＢまたは前記少なくとも１つの追加のＲＢのうちの少なくとも１つを使用して、前記ＵＥとの狭帯域通信を行うための手段と
を備える、装置。
［Ｃ５４］  ユーザ機器（ＵＥ）によるワイヤレス通信のための装置であって、
基地局（ＢＳ）との狭帯域通信に利用可能なリソースブロック（ＲＢ）のセット内のアンカＲＢにおいて受信された１つまたは複数の信号に基づいてセルサーチを行うことと、
前記アンカＲＢにおいて受信されたインジケーションに基づいて、前記ＢＳとの前記狭帯域通信に利用可能な少なくとも１つの追加のＲＢのロケーションを決定することと、    前記アンカＲＢまたは前記少なくとも１つの追加のＲＢのうちの少なくとも１つを使用して、前記ＢＳとの狭帯域通信を行うことと
を行うように構成された少なくとも１つのプロセッサと、
前記少なくとも１つのプロセッサに結合されたメモリと
を備える、装置。
［Ｃ５５］  基地局（ＢＳ）によるワイヤレス通信のための装置であって、
ユーザ機器（ＵＥ）との狭帯域通信に利用可能なリソースブロック（ＲＢ）のセット内のアンカＲＢにおいて１つまたは複数の信号を送ることと、
前記アンカＲＢにおいて、前記ＵＥとの前記狭帯域通信に利用可能な少なくとも１つの追加のＲＢのロケーションのインジケーションをシグナリングすることと
を行うように構成された送信機と、
前記アンカＲＢまたは前記少なくとも１つの追加のＲＢのうちの少なくとも１つを使用して、前記ＵＥとの狭帯域通信を行うこと
を行うように構成された少なくとも１つのプロセッサと、
前記少なくとも１つのプロセッサに結合されたメモリと
を備える、装置。
［Ｃ５６］  ユーザ機器（ＵＥ）によるワイヤレス通信のためにコンピュータ実行可能コードを記憶したコンピュータ可読媒体であって、
基地局（ＢＳ）との狭帯域通信に利用可能なリソースブロック（ＲＢ）のセット内のアンカＲＢにおいて受信された１つまたは複数の信号に基づいてセルサーチを行うためのコードと、
前記アンカＲＢにおいて受信されたインジケーションに基づいて、前記ＢＳとの前記狭帯域通信に利用可能な少なくとも１つの追加のＲＢのロケーションを決定するためのコードと、
前記アンカＲＢまたは前記少なくとも１つの追加のＲＢのうちの少なくとも１つを使用して、前記ＢＳとの狭帯域通信を行うためのコードと
を備える、コンピュータ可読媒体。
［Ｃ５７］  基地局（ＢＳ）によるワイヤレス通信のためにコンピュータ実行可能コードを記憶したコンピュータ可読媒体であって、
ユーザ機器（ＵＥ）との狭帯域通信に利用可能なリソースブロック（ＲＢ）のセット内のアンカＲＢにおいて１つまたは複数の信号を送るためのコードと、
前記アンカＲＢにおいて、前記ＵＥとの前記狭帯域通信に利用可能な少なくとも１つの追加のＲＢのロケーションのインジケーションをシグナリングするためのコードと、
前記アンカＲＢまたは前記少なくとも１つの追加のＲＢのうちの少なくとも１つを使用して、前記ＵＥとの狭帯域通信を行うためのコードと
を備える、コンピュータ可読媒体。